(57)【特許請求の範囲】
【請求項１】
所定の情報源からオーディオデータを取得して、テキストデータと共に記録媒体に記録する情報記録装置であって、
前記情報源から前記オーディオデータを取得して、前記記録媒体に記録しながら前記オーディオデータのモニタ用の再生音を提供する記録手段と、
前記オーディオデータを前記記録媒体に記録している際に、マイクで取得されるユーザーの音声を音声認識処理して、前記ユーザーが音声入力したと考えられる複数の候補を検出し、前記候補のテキストデータをそれぞれ生成する音声認識手段と、
前記複数の候補を一覧表示する表示手段と、
前記一覧表示した複数の候補から前記ユーザーの選択を受け付けて登録する登録手段とを備え、
前記記録手段は、
前記オーディオデータの前記記録媒体への記録が終了した後、前記登録手段に登録された前記候補のテキストデータを、前記オーディオデータと対応付けて前記記録媒体に記録する
ことを特徴とする情報記録装置。
【請求項２】
前記テキストデータは、
前記オーディオデータのタイトルを表示するデータである
ことを特徴とする請求項１に記載の情報記録装置。
【請求項３】
前記情報記録装置は、
前記オーディオデータ、前記テキストデータをそれぞれファイル形式により管理する
ことを特徴とする請求項１に記載の情報記録装置。
【請求項４】
前記音声認識手段は、
対話形式の音声によるガイドにより、前記音声認識処理に要する音声の入力を促す
ことを特徴とする請求項１に記載の情報記録装置。
【請求項５】
前記音声認識手段は、
所定の表示画面におけるメッセージの表示により、前記音声認識処理に要する音声の入力を促す
ことを特徴とする請求項１に記載の情報記録装置。
【請求項６】
前記記録再生手段は、
標準の再生速度に比して高速度で前記オーディオデータを取得して前記記録媒体に記録しながら、１曲分の前記オーディオデータの前記記録媒体への記録を完了するまでの間、前記記録媒体に記録した該オーディオデータを前記標準の再生速度で再生して前記ユーザーに提供することにより、前記モニタ用の再生音を提供する
ことを特徴とする請求項１に記載の情報記録装置。
【請求項７】
前記情報源が、
光ディスクである
ことを特徴とする請求項１に記載の情報記録装置。
【発明の詳細な説明】
【０００１】
【発明の属する技術分野】
本発明は、情報記録装置に関し、例えば大容量のハードディスク装置を使用したオーディオデータのレコーダに適用することができる。本発明は、音声認識により音楽のタイトル等を入力することができるようにすることにより、簡易な作業によりタイトル等を入力することができるようにする。
【０００２】
【従来の技術】
従来、ミニディスク装置等のオーディオ機器においては、音楽のタイトルを入力できるようになされ、この入力したタイトルを利用して使い勝手を向上するようになされている。
【０００３】
このような機器においては、一旦オーディオ信号を記録した後、処理モードを編集モードに切り換え、操作子の操作によりタイトルを入力するようになされている。
【０００４】
【発明が解決しようとする課題】
ところがこのように操作子の操作によりタイトルを入力する場合にあっては、操作が煩雑な問題がある。特に、記録媒体の大容量化に伴い、多くの曲を１つの記録媒体に記録する場合も考えられることにより、このようなタイトルの入力作業を簡略化することが求められる。
【０００５】
本発明は以上の点を考慮してなされたもので、簡易な作業により曲等のタイトルを入力することができる情報記録装置を提案しようとするものである。
【０００６】
【課題を解決するための手段】
かかる課題を解決するため請求項１に係る発明においては、情報記録装置に適用して、前記情報源から前記オーディオデータを取得して、前記記録媒体に記録しながら前記オーディオデータのモニタ用の再生音を提供する記録手段と、前記オーディオデータを前記記録媒体に記録している際に、マイクで取得されるユーザーの音声を音声認識処理して、前記ユーザーが音声入力したと考えられる複数の候補を検出し、前記候補のテキストデータをそれぞれ生成する音声認識手段と、前記複数の候補を一覧表示する表示手段と、前記一覧表示した複数の候補から前記ユーザーの選択を受け付けて登録する登録手段とを備え、前記記録手段は、前記オーディオデータの前記記録媒体への記録が終了した後、前記登録手段に登録された前記候補のテキストデータを、前記オーディオデータと対応付けて前記記録媒体に記録する。
【０００７】
音声認識処理によりテキストデータを生成し、このテキストデータを情報と対応させて記録すれば、音声により各情報のタイトル等を簡易に入力することができる。
【０００８】
【発明の実施の形態】
以下、適宜図面を参照しながら本発明の実施の形態を詳述する。
【０００９】
（１）第１の実施の形態
（１−１）第１の実施の形態の構成
図２は、本発明の第１の実施の形態にかかるレコーダを示すブロック図である。このレコーダ１において、コンパクトディスク（ＣＤ）部２は、バスＢＵＳに出力される制御コマンドに従ってコンパクトディスクを再生し、その再生結果であるオーディオデータを出力する。このときコンパクトディスク部２は、ダビングの処理が指示されると、通常の再生速度の数十倍の高転送速度によりオーディオデータを再生して出力する。
【００１０】
ディジタルシグナルプロセッサー（ＤＳＰ）３は、バスＢＵＳに出力される制御コマンドに従って動作を切り換え、ダビング時、メモリＭを用いてコンパクトディスク部２よりバスＢＵＳに出力されるオーディオデータをデータ圧縮すると共に、データ圧縮結果であるオーディオデータをバスＢＵＳに出力する。
【００１１】
ハードディスク装置（ＨＤ）４は、バスＢＵＳに出力される制御コマンドに従って動作を切り換え、ダビング時、ディジタルシグナルプロセッサー３よりバスＢＵＳに出力されるオーディオデータを記録する。これらによりレコーダ１は、コンパクトディスク部２により高速度で再生したオーディオデータをディジタルシグナルプロセッサー３によりデータ圧縮した後、ハードディスク装置４に記録できるようになされている。
【００１２】
さらにハードディスク装置４は、このようにしてオーディオデータを記録しながら、記録したオーディオデータを記録順に順次バスＢＵＳに出力する。このときハードディスク装置４は、標準の再生速度に対応する伝送速度によりこの記録したオーディオデータを出力する。なおハードディスク装置４は、コンパクトディスク部２よりコンパクトディスクに記録された音楽を複数曲連続して記録する場合、バスＢＵＳに送出するオーディオデータが曲の途中の場合でも、１曲分記録が完了すると、バスＢＵＳに送出するオーディオデータを続いて記録する曲のオーディオデータに切り換える。
【００１３】
さらにハードディスク装置４は、制御部５の制御により、このようなコンパクトディスク部２より送出されるオーディオデータの記録が完了した場合等に、タイトルメモリ６に記録されたテキストデータを記録する。このときハードディスク装置４は、このタイトルメモリ６に記録されたテキストデータを、記録したオーディオデータによる曲毎に対応付けて記録する。具体的には、各曲のオーディオデータ、各曲に対応するテキストデータをそれぞれファイル化してこれらのデータを記録し、また各ファイル単位にしたファイル管理によりこれらのデータを管理する。
【００１４】
ここでこの実施の形態において、このテキストデータは、各曲のタイトルであり、ユーザーが音声により入力したものである。これによりこのレコーダ１では、ハードディスク装置４に記録した曲と対応するテキストデータとを対応付けて、簡易に管理できるようになされ、さらにこのテキストデータにより記録した曲を管理識別できるようになされている。
【００１５】
これに対してハードディスク装置４は、バスＢＵＳを介して制御部５より再生の制御コマンドが入力されると、この制御コマンドに付加されたファイル名を基準にして記録したオーディオデータを通常の再生速度によりバスＢＵＳに出力する。
【００１６】
またハードディスク装置４は、このような再生に先立ち、制御部５から出力される制御コマンドに応動して、記録したテキストデータを読み出してバスＢＵＳに出力する。これによりレコーダ１は、制御部５の制御により、必要に応じて記録された曲のタイトルを一覧にして、また検索して確認できるようになされている。
【００１７】
ディジタルシグナルプロセッサー７は、再生時及びダビング時、コンパクトディスク部２又はハードディスク装置４よりバスＢＵＳに出力されるオーディオデータを取り込んでデータ伸張する。さらにディジタルシグナルプロセッサー７は、このデータ伸張したオーディオデータを図示しないアナログディジタル変換回路によりアナログ信号に変換した後、スピーカ８を駆動する。なおディジタルシグナルプロセッサー７は、コンパクトディスク部２より出力されるオーディオデータによるスピーカ８を駆動する場合、データ伸張の処理を中止し、コンパクトディスク部２よりバスＢＵＳに出力されるオーディオデータにより直接スピーカ８を駆動する。
【００１８】
これによりレコーダ１は、再生時にあっては、コンパクトディスク部２より再生されるオーディオデータ又はハードディスク装置４に記録したオーディオデータを試聴できるようになされ、またダビング時にあっては、高速度でダビングしている曲を順次部分的に試聴できるようになされている。
【００１９】
音声認識部９は、制御部５の制御により動作を開始し、マイクロホン１０を介して入力される音声信号を音声認識処理する。なおここでこの音声認識処理は、例えばＨＭＭ（Hidden Markov Model ）により実行される。さらに音声認識部９は、この音声認識処理結果をテキストデータに変換してバスＢＵＳに出力する。このとき音声認識部９は、この音声認識の処理において、音声認識結果の精度を判定し、精度が所定値以下の場合には、あいまい処理により、音声認識結果の候補を複数生成し、これら複数の音声認識結果をそれぞれテキストデータにより出力する。
【００２０】
表示部１１は、例えば液晶表示パネルにより構成され、制御部５の制御により、このレコーダ１の操作に必要な各種メッセージ等を表示する。この一連の表示において、表示部１１は、再生中にあっては、曲のタイトルを表示する。また再生に先立って、曲のタイトル一覧、タイトルの検索結果等を表示する。これに対してダビング中等にあっては、ユーザーの選択により音声による曲のタイトル入力を促すメッセージを表示する。
【００２１】
制御部５は、マイクロコンピュータにより構成され、操作子の操作に応動してバスＢＵＳに制御コマンドを発行することにより、このレコーダ１全体の動作を制御する。
【００２２】
図３は、この制御部５における処理手順を示すフローチャートである。制御部５は、レコーダ１の電源が立ち上げられると、所定の処理手順に従って初期化の処理を実行する。さらに再生又は録音の操作子の操作が検出されると、この図３に示す処理手順を実行する。
【００２３】
すなわち制御部５は、ステップＳＰ１からステップＳＰ２に移り、操作子の操作によりユーザーが録音を指示したか否か判断し、ここで否定結果が得られると、ステップＳＰ３に移り、この場合再生の操作子が操作された場合であることにより、続いて入力される操作子の操作を受け付け、対応する曲を再生する。このとき制御部５は、ユーザーの操作に応動してハードディスク装置４に記録されたテキストデータをロードして表示部１１に表示することにより、ハードディスク装置４に記録された曲のタイトルを表示する。また制御部５は、同様にしてユーザーの指定したキーワードによりハードディスク装置４に記録されたテキストデータを検索し、検索結果であるタイトルの一覧を表示部１１に表示する。さらに制御部５は、このようなタイトルの一覧におけるユーザーの指定により、このタイトルによるテキストデータに対応する曲のファイルを指定して再生のコマンドを発行する。これによりこのレコーダ１は、各曲と対応付けて記録したテキストデータを有効に利用してユーザーの所望する曲を簡易に再生できるようになされている。
【００２４】
これに対してユーザーにより操作された操作子が録音の操作子の場合、制御部５は、ステップＳＰ２において肯定結果が得られることにより、ステップＳＰ５に移り、コンパクトディスク部２にセットされたコンパクトディスクを高速度で再生すると共に、この再生により得られるオーディオデータをディジタルシグナルプロセッサー３によりデータ圧縮し、ハードディスク装置４に記録する。
【００２５】
このとき制御部５は、ユーザーの指定に従って、コンパクトディスク部２にセットされたコンパクトディスクをソックリそのまま記録するように、またこのコンパクトディスクに記録された曲のうちの、ユーザーの所望する曲を選択的に記録するように全体の動作を制御する。
【００２６】
さらにこれらの制御と平行して、制御部５においては、ステップＳＰ６において、タイトルの入力処理を実行し、音声認識により各曲のタイトルを入力する。
【００２７】
またこれらの処理と同時並列的に、制御部５は、ステップＳＰ３において、上述したようにハードディスク装置４に記録したオーディオデータをディジタルシグナルプロセッサー７によりデータ伸張し、スピーカ８より出力する。
【００２８】
これによりレコーダ１は、コンパクトディスクに記録されたオーディオデータを標準の再生速度によりモニタしながら高速度でダビングし、さらにこのオーディオデータによる各曲にタイトルを入力できるようになされている。
【００２９】
図１は、このタイトル入力処理を詳細に示すフローチャートである。なお制御部５は、コンパクトディスク部２より連続して曲をダビングする場合、各曲毎にこの処理手順を実行する。すなわち制御部５は、ステップＳＰ１１からステップＳＰ１２に移り、ここで表示部１１にメッセージを表示してタイトルを入力するか否か、ユーザーの入力を受け付ける。ここでユーザーが何らタイトル入力の操作を実行しない場合、制御部５は、ステップＳＰ１３に移り、ここでディフォルトの設定によるタイトルを設定する。なおここでこのでディフォルトの設定によるタイトルは、コンパクトディスク部２より連続して曲をダビングする場合には、連続した録音順序を示す番号が割り当てられる。制御部５は、このようにしてタイトルを設定すると、このタイトルによるテキストデータをタイトルメモリ６に登録した後、ステップＳＰ１４に移ってこの処理手順を終了する。
【００３０】
これに対してタイトルを入力するか否かの問い掛けに対して、ユーザーが所定の操作子を操作すると、制御部５は、ステップＳＰ１５に移り、タイトルの入力を促すダイアログを表示する。ここで図４（Ａ）に示すように、制御部５は、この表示部１１の表示において、表示画面の左上隅に録音源を示すコンパクトディスクの表示「ＣＤ」を形成し、表示画面の下側にコンパクトディスクにおけるトラック番号、ユーザーの選択による時間情報を表示する。なおこの時間情報はコンパクトディスク全体における再生時間、又は再生残り時間、録音中の曲についての録音経過時間、録音残り時間の何れかである。
【００３１】
さらに制御部５は、このトラック番号、時間情報の表示の上に、タイトルの入力を促すダイアログを形成し、このダイアログの中に、タイトル入力を促すメッセージを表示する。
【００３２】
続いて制御部５は、ステップＳＰ１６に移り、音声認識部９を起動し、マイクロホン１０を介して入力される音声を音声認識処理し、この音声認識結果によるテキストデータを取得する。このとき制御部５は、この音声認識結果による精度を併せて音声認識部９より取得し、続くステップＳＰ１７において、この音声認識結果の精度により音声認識結果による候補が複数存在するか否か判断する。
【００３３】
ここで音声認識結果の精度が高い場合、この音声認識結果においては、ユーザーにより入力されたタイトルを正しく音声認識していると考えられることにより、制御部５は、ステップＳＰ１７からステップＳＰ１８に移る。ここで制御部５は、図４（Ｂ）に示すように、表示部１１にダイアログを形成してこの音声認識結果を表示する。
【００３４】
ここで制御部５は、ユーザーが操作子の操作により登録を指示すると、ステップＳＰ１９に移り、このタイトルによるテキストデータをタイトルメモリ６に登録する。続いて制御部５は、ステップＳＰ２０に移り、図４（Ｃ）に示すように、表示部１１にダイアログを形成してタイトルを登録した旨のメッセージを表示する。なお制御部５は、ユーザーにより登録が指示されない場合、この場合は音声認識処理が誤っている場合等が考えられることにより、続くユーザーの操作に応動して図示しない処理手順を実行して正しいタイトル名の入力を受け付け、さにこの正しいタイトル名によるテキストデータをタイトルメモリ６に登録する。
【００３５】
制御部５は、このようにして１曲分のタイトルを登録すると、ステップＳＰ１４に移ってこの処理手順を終了し、これに対応して図４（Ｄ）に示すように表示部１１に形成されたダイアログの表示を終了する。
【００３６】
これに対して音声認識結果の精度が不十分な場合、制御部５は、ステップＳＰ１７において肯定結果が得られることにより、ステップＳＰ２２に移る。ここで制御部５は、音声認識部９より取得した複数のテキストデータによるタイトルを一覧形式により表示部１１に表示する。
【００３７】
かくするにつきこの場合、図５に示すように、表示部１１においては、タイトル名の入力を促すメッセージがダイアログにより表示された後（図５（Ａ））、ユーザーが音声入力したと考えられる複数のタイトル名が表示されることになる（図５（Ｂ））。
【００３８】
制御部５は、このようにして複数の候補を表示すると、ステップＳＰ２２に移り、ユーザーの選択操作を受け付ける。なおここでこの選択操作は、音声認識により、又は操作子の操作により、タイトル名の表示に割り当てられた数字を特定して実行される。制御部５は、このようにしてユーザーによりタイトル名が選択されると、ステップＳＰ１８に移り、図５（Ｃ）に示すように、タイトル名を表示する。さらに続いてステップＳＰ１９に移り、図５（Ｄ）に示すように、ユーザーによる登録の指示に応動して登録のメッセージを表示した後、ステップＳＰ２０からステップＳＰ１４に移ってこの処理手順を終了する。これにより制御部５は、この場合も表示部１１の表示を元の表示に戻す。
【００３９】
制御部５は、このようにしてハードディスク装置４に記録する曲毎に、この処理手順を実行してタイトル名の登録を受け付け、全ての曲の記録が完了すると、このタイトルメモリ６に記録したテキストデータをハードディスク装置４に記録する。このとき制御部５は、各タイトルと曲とが対応するように、各テキストデータをハードディスク装置４に記録する。
【００４０】
これに対して制御部５は、ハードディスク装置４に記録されたオーディオデータを再生する場合、対応するテキストデータの内容によりディフォルトの設定によるテキストデータか否か判断する。ここで再生する曲がディフォルトの設定によりタイトルを記録した曲の場合、制御部５は、この曲の再生中に、図１に示す処理手順を実行し、これによりユーザーの選択により改めてタイトル名の登録を受け付け、このタイトル名によるテキストデータをハードディスク装置４に記録する。
【００４１】
また制御部５は、ユーザーによりタイトル名を変更するモードが選択されると、ディフォルトでタイトル名を登録した曲について音声によりタイトル名を入力する場合と同様にして、音声認識によりタイトル名の入力を受け付け、このタイトル名により従前のタイトル名によるテキストデータを変更する。
【００４２】
（１−２）第１の実施の形態の動作
以上の構成において、レコーダ１においては（図２）、ユーザーによりコンパクトディスクの再生が指示されると、コンパクトディスク部２よりコンパクトディスクの再生が開始され、その再生結果であるオーディオデータがバスＢＵＳを介してディジタルシグナルプロセッサー７に入力され、このディジタルシグナルプロセッサー７によりスピーカ８が駆動される。これによりレコーダ１では、コンパクトディスクを試聴することが可能となる。
【００４３】
これに対してハードディスク装置４へのダビングが指示されると、コンパクトディスク部２より高速度でオーディオデータが再生され、このオーディオデータがディジタルシグナルプロセッサー３によりデータ圧縮される。さらにこのデータ圧縮されたオーディオデータがハードディスク装置４に記録される。これらの処理において、このレコーダ１では、標準の再生速度の数十倍の速度によりコンパクトディスクが再生され、再生されたオーディオデータがデータ圧縮されてハードディスク装置４に記録され、これにより例えば６０分のオーディオデータを記録したコンパクトディスクであっても、数分によりオーディオデータをダビングすることができ、その分使い勝手を向上することができる。
【００４４】
このようなダビングの際に、レコーダ１においては、ハードディスク装置４に記録されたオーディオデータが標準の再生速度に対応するデータ転送速度によりディジタルシグナルプロセッサー７に送出され、このディジタルシグナルプロセッサー７によりデータ伸張される。さらにこのデータ伸張されたオーディオデータによりスピーカ８が駆動され、これによりダビング中の音楽をモニタすることが可能となる。
【００４５】
この処理において、複数の曲を連続してダビングする場合には、１曲分ハードディスク装置４への記録が完了すると、続く曲について、ダビング中の曲をモニタできるように、ハードディスク装置４より送出されるオーディオデータが切り換えられ、これにより高速度でダビングする場合に、曲のさわりの部分を確認することができる。これによりこのように録音中にタイトル名を入力する際に、間違いなくタイトル名を入力することが可能となり、また高速度でダビングすることにより１曲分のタイトル名を入力した後、続く曲のタイトル名を入力するまでの待ち時間を短縮することができ、これらにより使い勝手が向上される。
【００４６】
かくするにつき、レコーダ１では（図１及び図３）、このようにしてダビングする際に、各曲毎に、ユーザーに対してタイトル名を入力するか問い合わせがなされ、ここでユーザーがタイトル名の入力を操作しない場合には、録音順序による番号がディフォルトのタイトル名として設定され、このタイトル名がテキストデータによりタイトルメモリ６に保持される。さらに録音が終了すると、このタイトルメモリ６に保持された各曲のテキストデータがそれぞれハードディスク装置４に記録される。
【００４７】
これに対してユーザーがタイトル名の入力を選択すると、表示部１１の表示を介してガイドが表示され、このガイドに従って音声を入力すると、音声認識部９によりこの音声が音声認識処理され、タイトル名を示すテキストデータが生成される。さらにこのテキストデータによるタイトルをユーザーが確認すると、このテキストデータがタイトルメモリ６に登録され、録音が終了すると、このタイトルメモリ６に保持された各曲のテキストデータがそれぞれハードディスク装置４に記録される。
【００４８】
これによりこのレコーダ１においては、音声入力によりタイトル名を入力でき、その分簡易な操作により所望するタイトル名を入力することができ、その分使い勝手を向上することができる。またこのようにして入力したタイトルにより、所望の曲を簡易に検索、再生することができ、これによっても使い勝手を向上することができる。
【００４９】
またこの音声認識において、表示部１１の表示を介して対話形式により音声の入力を促すことにより、さらには認識した音声の確認を促すことにより、操作に不慣れなユーザーにおいても、間違いなくタイトル名を入力することができ、これによっても使い勝手を向上することができる。
【００５０】
さらにこのときこの実施の形態では、音声認識の精度が不十分な場合、音声認識結果の候補を複数表示し、ユーザーの選択に従って対応するタイトル名を登録する。これによりこの実施の形態では、ユーザーの所望するタイトル名を確実に入力することができ、これによっても使い勝手を向上することができる。
【００５１】
さらにこの実施の形態では、高速度でダビングした状態で曲のさわりの部分をモニタしながら音声によりタイトル名を入力でき、これにより短い時間でタイトル名を入力しながらダビングを完了することができ、これによっても使い勝手を向上することができる。
【００５２】
さらに全ての曲のダビングを完了すると、タイトルメモリ６に保持したタイトル名によるテキストデータをハードディスク装置４に記録することにより、このレコーダ１における処理の空き時間を有効に利用してタイトル名をハードディスク装置４に記録することができる。従ってその分、レコーダ１においては、ダビングしながら同時にテキストデータをハードディスク装置４に記録する場合のような煩雑な制御、構成を簡略化して、簡易な処理によりこの種のデータを記録することができる。
【００５３】
かくするにつき、このようにしてハードディスク装置４に記録するテキストデータにおいては、ファイル管理方式により、対応する曲自体が、１つのファイルとして、また対応する曲と対応付けられて各タイトル毎にファイル化されてハードディスク装置４に記録される。これによりハードディスク装置４においては、さらにはこのハードディスク装置４をアクセスする制御部５においては、種々のファイル管理方式を適用して簡易にハードディスク装置４に記録されたオーディオデータを再生することができ、また対応するタイトル名を検索、再生することができ、これによっても簡易な構成により使い勝手を向上することができる。
【００５４】
これに対してこのようにして記録したオーディオデータを再生する場合、レコーダ１では、ハードディスク装置４より標準の再生速度に対応するデータ転送速度によりユーザーの選択したオーディオデータがバスＢＵＳに送出され、このオーディオデータがディジタルシグナルプロセッサー７によりデータ伸張される。さらにこのデータ伸張されたオーディオデータによりスピーカ８が駆動され、これにより所望の曲を試聴することが可能となる。
【００５５】
このとき再生に先立って、レコーダ１では、ハードディスク装置４に記録したタイトル名に基づいてユーザーにタイトル名を表示する等の、タイトル名を利用してユーザーの選曲を手助けすることができ、これによっても使い勝手を向上することができる。また再生中にあっては、現在再生中の曲について、タイトル名を表示し、これによっても使い勝手を向上することができる。
【００５６】
このようにしてハードディスク装置４に記録したオーディオデータを再生するにつき、ディフォルトの設定によりタイトル名を記録した曲を再生する場合、レコーダ１においては、ダビング時と同様に、ユーザーに対して音声によるタイトル名の入力が促され、また音声入力によるタイトル名がダビング時と同様にしてハードディスク装置４に記録される。
【００５７】
これによりこのレコーダ１においては、例えばダビングした後、時間を改めて音声によりタイトル名を入力することができ、これによっても使い勝手を向上することができる。
【００５８】
（１−３）第１の実施の形態の効果
以上の構成によれば、音声認識により音楽のタイトルを入力できるようにすることにより、簡易な作業によりタイトルを入力することができ、その分オーディオ機器の使い勝手を向上することができる。
【００５９】
また全ての曲について、記録が完了した後、タイトルメモリに保持したテキストデータをハードディスク装置に記録することにより、使い勝手を向上して、全体として簡易な構成によりこれらタイトル名を入力することができる。
【００６０】
またこのようにして記録する曲、対応するタイトル名のテキストデータをそれぞれファイル形式により管理することにより、簡易かつ確実にこれらのデータを管理することができる。
【００６１】
また音声認識において、表示画面におけるメッセージの表示により、音声認識処理に要する音声の入力を促すことにより、不慣れなユーザーにおいても、簡易かつ確実にタイトル名を入力することができ、これによっても使い勝手を向上することができる。
【００６２】
またこのようにして記録したテキストデータによるタイトル名をオーディオデータの再生時に表示することにより、ユーザーにおいては再生中の曲を簡易に確認することができ、これによっても使い勝手を向上することができる。
【００６３】
（２）第２の実施の形態
この実施の形態に係るレコーダにおいては、第１の実施の形態に係る構成に加えて、音声合成手段を有し、この音声合成手段より発生する音声により、対話形式でタイトル名の入力を促す。
【００６４】
すなわちこの実施の形態では、図４（Ａ）について上述した「タイトルを入力して下さい」のメッセージの表示に代えて、音声合成により、「タイトルを入力して下さい」のメッセージをスピーカから出力する。
【００６５】
また図４（Ｂ）について説明した、タイトル名の確認においては、音声認識したテキストデータにより音声合成手段を駆動し、これにより図４（Ｂ）との対比において、例えば「マライヤキャリーでよろしいですね」とのメッセージを発声する。
【００６６】
また図４（Ｃ）について上述した「登録しました」との確認のメッセージの表示に代えて、この図４（Ｃ）との対比において、例えば「マライヤキャリーで登録いたします」とのメッセージを発声する。
【００６７】
これらの処理に対応してこの実施の形態に係るレコーダの制御部は、音声認識結果の確認を音声認識により受け付ける。すなわち上述の場合では、「マライヤキャリーでよろしいですね」とのメッセージの発声に対して、「ＯＫ」との音声認識結果が得られると、制御部は、この音声認識結果によるタイトル名をテキストデータによりハードディスク装置に記録する。
【００６８】
この第２の実施の形態によれば、音声合成による対話形式によりタイトル名の入力を促し、また音声認識によりタイトル名を確認することにより、いわゆるハンズフリーによりタイトル名を入力することができる。これにより例えば車載の機器に適用して安全性を向上すると共に、第１の実施の形態と同様の効果を得ることができる。
【００６９】
（３）他の実施の形態
なお上述の実施の形態においては、高速度でダビングする場合について述べたが、本発明はこれに限らず、標準の再生速度によりダビングする場合にも広く適用することができる。
【００７０】
また上述の実施の形態においては、ハードディスク装置にオーディオデータを記録する場合について述べたが、本発明はこれに限らず、光ディスク等の記録媒体に記録する場合、さらにはメモリカードに記録する場合等に広く適用することができる。
【００７１】
また上述の実施の形態においては、オーディオデータを記録する場合について述べたが、本発明はこれに限らず、映像信号を記録する場合等に広く適用することができる。
【００７２】
【発明の効果】
上述のように本発明によれば、音声認識により音楽等のタイトルを入力できるようにすることにより、簡易な作業によりタイトル等を入力することができる。
【図面の簡単な説明】
【図１】本発明の実施の形態に係るレコーダの制御部の処理手順を示すフローチャートである。
【図２】図１の制御部に係るレコーダの全体構成を示すブロック図である。
【図３】図２のレコーダの制御部の処理手順を示すフローチャートである。
【図４】図１の処理手順の説明に供する略線図である。
【図５】音声認識結果の精度が不十分な場合における処理の説明に供する略線図である。
【符号の説明】
１……レコーダ、２……コンパクトディスク部、３、７……ディジタルシグナルプロセッサー、４……ハードディスク装置、５……制御部、６……タイトルメモリ、９……音声認識部、１１……表示部
【図１】
0003873513.tif 000002
【図２】
0003873513.tif 000003
【図３】
0003873513.tif 000004
【図４】
0003873513.tif 000005
【図５】
0003873513.tif 000006